(57)【要約】【課題】コネクタハウジング内の前部空間の形状が異なるごとに専用品を用意しなくても、コネクタハウジング側のデリケートな部位を傷つけるおそれのない端子の抜き取り治具を提供する。【解決手段】コネクタハウジング１００内の前部空間１０５からランス１０２に向けて挿入され、先端１３ａでランスによる端子の係止を解除する解除ピン１２を備える治具本体１０と、治具本体に着脱可能に装着され、解除ピンがコネクタハウジングの前部空間に挿入された際に、少なくとも一部が前部空間の内周壁に沿って嵌入されることで、解除ピンの先端の挿入位置を案内するアタッチメント２０と、を備える。【選択図】図２
2019114362.tif 000002
【特許請求の範囲】
【請求項１】
コネクタハウジングの内部に収容されてランスにより係止された端子を抜き取るために、前記コネクタハウジング内の前部空間から前記ランスに向けて挿入され、先端で前記ランスによる端子の係止を解除する解除ピンを備える治具本体と、
前記治具本体に着脱可能に装着され、前記解除ピンが前記コネクタハウジングの前部空間に挿入された際に、少なくとも一部が前記前部空間の内周壁に沿って嵌入されることで、前記解除ピンの先端の挿入位置を案内するアタッチメントと、
を備える、
ことを特徴とする端子抜き取り治具。
【請求項２】
請求項１に記載の端子抜き取り治具であって、
前記アタッチメントは、前記治具本体における第１位置と該第１位置より前記治具本体の先端側に位置する第２位置との間で移動可能に装着され、前記アタッチメントと前記治具本体の間に、少なくとも前記アタッチメントが前記第２位置にあるときに該アタッチメントを前記治具本体に係止する係止手段が設けられている、
ことを特徴とする端子抜き取り治具。
【請求項３】
請求項２に記載の端子抜き取り治具であって、
前記アタッチメントに、該アタッチメントが前記第１位置にある状態で前記治具本体の前記解除ピンを前記コネクタハウジングの前記前部空間に挿入したときに前記コネクタハウジングの被当接部に突き当たることで挿入を規制する当接部が設けられ、
前記当接部から前記解除ピンの先端までの長さが、前記被当接部から前記ランスまでの長さに等しく設定されている、
ことを特徴とする端子抜き取り治具。
【請求項４】
請求項２または３に記載の端子抜き取り治具であって、
前記アタッチメントが前記第２位置にあるとき、前記アタッチメントの内部に前記解除ピンの先端が収容される、
ことを特徴とする端子抜き取り治具。
【請求項５】
請求項４に記載の端子抜き取り治具であって、
前記アタッチメントは、弾性部材により前記第２位置に付勢されている、
ことを特徴とする端子抜き取り治具。
【発明の詳細な説明】
【技術分野】
【０００１】
本発明は、コネクタハウジングに収容されてランスにより係止された端子を抜き取る際に、ランスによる端子の係止を解除するための端子抜き取り治具に関するものである。
【背景技術】
【０００２】
一般に、自動車のワイヤーハーネスの接続には、樹脂製のコネクタハウジングの内部に、後から金属製の端子を組み込んで構成したコネクタが用いられている。この種のコネクタは、コネクタハウジングの端子収容室に、電線の先端に取り付けた端子を後方から挿入し、端子収容室に設けられた可撓性のランスにより、端子を後方へ抜け止めした構造をなしている。
【０００３】
ところで、このようなコネクタにおいて、いったん組み込んだ端子を後で抜く必要が生じることがある。その場合、例えば、コネクタハウジングの前方からピン状の抜き取り治具を差し込んで、ランスによる端子の係止を解除し、その状態で、電線を後方へ引く。そうすることで、コネクタハウジングの端子収容室から端子を抜き取ることが行われている（例えば、特許文献１参照）。
【先行技術文献】
【特許文献】
【０００４】
【特許文献１】特許第３９７６７３７号公報
【発明の概要】
【発明が解決しようとする課題】
【０００５】
ところが、コネクタハウジング内の前部空間からランスに向かって真っ直ぐにピン状の抜き取り治具を差し込めればよいが、傾いて挿入してしまうことがある。そうすると、コネクタハウジング内の前部空間に設けられたデリケートな部位（例えば、シール部やリブなど）に抜き取り治具の先端が接触して、そのデリケートな部位を傷めるおそれがある。
【０００６】
これに対し、抜き取り治具が傾かないように治具の形状を変えることが考えられる。しかしそうすると、コネクタハウジング内の特定の形状の前部空間に対する専用治具となってしまうため、前部空間の形状が異なる場合は、新たに専用治具を用意しなければならなくなるという問題がある。
【０００７】
本発明は、上述した事情に鑑みてなされたものであり、その目的は、コネクタハウジング内の前部空間の形状が異なるごとに専用品を用意しなくても、コネクタハウジング側のデリケートな部位を傷つけるおそれのない端子の抜き取り治具を提供することにある。
【課題を解決するための手段】
【０００８】
前述した目的を達成するために、本発明に係る端子抜き取り治具は、下記（１）〜（５）を特徴としている。
（１）  コネクタハウジングの内部に収容されてランスにより係止された端子を抜き取るために、前記コネクタハウジング内の前部空間から前記ランスに向けて挿入され、先端で前記ランスによる端子の係止を解除する解除ピンを備える治具本体と、
前記治具本体に着脱可能に装着され、前記解除ピンが前記コネクタハウジングの前部空間に挿入された際に、少なくとも一部が前記前部空間の内周壁に沿って嵌入されることで、前記解除ピンの先端の挿入位置を案内するアタッチメントと、
を備える、
ことを特徴とする端子抜き取り治具。
（２）  上記（１）に記載の端子抜き取り治具であって、
前記アタッチメントは、前記治具本体における第１位置と該第１位置より前記治具本体の先端側に位置する第２位置との間で移動可能に装着され、前記アタッチメントと前記治具本体の間に、少なくとも前記アタッチメントが前記第２位置にあるときに該アタッチメントを前記治具本体に係止する係止手段が設けられている、
ことを特徴とする端子抜き取り治具。
（３）  上記（２）に記載の端子抜き取り治具であって、
前記アタッチメントに、該アタッチメントが前記第１位置にある状態で前記治具本体の前記解除ピンを前記コネクタハウジングの前記前部空間に挿入したときに前記コネクタハウジングの被当接部に突き当たることで挿入を規制する当接部が設けられ、
前記当接部から前記解除ピンの先端までの長さが、前記被当接部から前記ランスまでの長さに等しく設定されている、
ことを特徴とする端子抜き取り治具。
（４）  上記（２）または（３）に記載の端子抜き取り治具であって、
前記アタッチメントが前記第２位置にあるとき、前記アタッチメントの内部に前記解除ピンの先端が収容される、
ことを特徴とする端子抜き取り治具。
（５）  上記（４）に記載の端子抜き取り治具であって、
前記アタッチメントは、弾性部材により前記第２位置に付勢されている、
ことを特徴とする端子抜き取り治具。
【０００９】
上記（１）の構成の端子抜き取り治具によれば、治具本体にアタッチメントを装着することで、解除ピンをコネクタハウジング内の前部空間からランスに向けて挿入する際に、アタッチメントの少なくとも一部をコネクタハウジング内の前部空間の内周壁に沿って嵌入させることができる。そのため、アタッチメントのガイド作用により、傾かずに真っ直ぐに解除ピンの先端をランスに向けて挿入することができ、前部空間に設けられたデリケートな部位に解除ピンの先端が接触するのを防ぐことができる。その結果、コネクタハウジング内の前部空間に設けられたデリケートな部位を傷めることがない。
この場合、治具本体は共通利用し、アタッチメントを交換するだけで、コネクタハウジング内の前部空間の形状の違いに容易に対応することができる。従って、コネクタハウジング内の前部空間の形状の違いに応じて専用治具を用意する必要がない。
また、解除ピンは金属で作る必要があるものの、アタッチメントは樹脂で作ることができるので、樹脂製のコネクタハウジング内のデリケートな部位に接触しても、相手を傷めないようにすることができる。つまり、金属で作った場合と違い、樹脂と樹脂の接触になるため、コネクタハウジング内のデリケートな部位を傷めないようにすることができる。また、アタッチメントを樹脂で作る場合は、金属で作る場合と違って、加工形状の制約を受けにくくなり、コネクタハウジング内の前部空間の形状の違いに細かく対応できる。そのため、アタッチメントの一部がコネクタハウジング内に嵌入した際の案内作用による解除ピンの直進挿入性を高めることができ、解除ピンの先端による無用な接触を確実に回避できるようになる。
上記（２）の構成の端子抜き取り治具によれば、治具本体に対するアタッチメントの装着位置を、第１位置から第２位置に切り換えたり、第２位置から第１位置に切り換えたりすることができる。第１位置から第２位置に切り換えた場合は、アタッチメントが治具本体に対して相対的に前側に位置することになるので、アタッチメントからの解除ピンの先端の突出寸法を小さくすることができる。あるいは、アタッチメントの内部に解除ピンの先端を収容できるようになる。その際、係止手段によってアタッチメントを第２位置に係止することができるので、その状態を安定保持することができる。
それに対し、第２位置から第１位置に切り換えた場合は、アタッチメントが治具本体に対して相対的に後側に位置することになるので、アタッチメントからの解除ピンの先端の突出寸法を大きくすることができる。従って、アタッチメントと解除ピンの寸法の設定の仕方によって、アタッチメントからの解除ピンの突出寸法の切り換えを行うことが可能なる。
従って、次のように使うことができる。即ち、まず、アタッチメントを第２位置に保持した状態で、アタッチメントの少なくとも一部をコネクタハウジング内の前部空間に嵌入させる。次にその状態で、アタッチメントに対して治具本体を相対的に第１位置に移動させる。そうすると、予めコネクタハウジングに嵌入されたアタッチメントの案内作用を受けながら、解除ピンの先端をコネクタハウジング内のランスに向けて真っ直ぐに挿入することができ、ランスによる端子の係止を解除することができる。また、作業終了後は、コネクタハウジングにアタッチメントを嵌入させた状態のまま、アタッチメントに対して治具本体を相対的に第２位置に移動させる。その際も、アタッチメントの案内作用を受けながら解除ピンを真っ直ぐに後退させることができる。従って、解除ピンの先端がコネクタハウジング内の前部空間のデリケートな部位に接触するのを防止することができる。
上記（３）の構成の端子抜き取り治具によれば、アタッチメントを第１位置に位置させた状態で治具本体の解除ピンをコネクタハウジングに挿入した際に、コネクタハウジングの被当接部にアタッチメントの当接部が当たることによって、解除ピンの挿入深さを規制することができる。従って、解除ピンを深く挿入し過ぎてランスなどを傷めるおそれがなくなる。
上記（４）の構成の端子抜き取り治具によれば、アタッチメントを第２位置に位置させることで、解除ピンの先端をアタッチメントの内部に収容することができる。しかも係止手段により、アタッチメントをその位置に保持しておくことができる。従って、解除ピンの先端を保護キャップなどで覆わなくても、アタッチメントで保護キャップの代わりをすることができ、安全確保が図れる。
上記（５）の構成の端子抜き取り治具によれば、アタッチメントを弾性部材により第２位置に付勢しているので、弾性部材の付勢力に抗する押出力を加えることで、アタッチメントを第１位置に移動させることができる。従って、第１位置にアタッチメントを移動させて、解除ピンを大きくアタッチメントから突き出させることにより、解除ピンによるランスの係止解除操作を行うことができる。そして解除操作後は、押出力を解除すると、弾性部材の付勢力によって自動的にアタッチメントが第２位置に移動し、解除ピンの先端がアタッチメント内に収容される。
【発明の効果】
【００１０】
本発明によれば、治具本体にアタッチメントを装着することにより、アタッチメントの案内作用によって、解除ピンの先端を傾かずに真っ直ぐにランスに向けて挿入することができる。そのため、コネクタハウジング内の前部空間に設けられたデリケートな部位に解除ピンの先端が接触するのを防ぐことができ、デリケートな部位を傷めることがない。また、治具本体は共通に利用し、アタッチメントを交換するだけで、コネクタハウジング内の前部空間の形状の違いに容易に対応することができる。従って、コネクタハウジング内の前部空間の形状の違いに応じて専用治具を用意する必要がない。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１（ａ）、（ｂ）は、本発明の第１実施形態の端子抜き取り治具の説明図で、図１（ａ）はアタッチメントを治具本体に装着する前の状態を示す斜視図、図１（ｂ）はアタッチメントを治具本体に装着した後の状態を示す斜視図である。
【図２】図２（ａ）〜（ｃ）は、第１実施形態の端子抜き取り治具の作用説明図で、図２（ａ）はアタッチメントの先端がコネクタハウジング内の前部空間に嵌入される直前の状態を示す側断面図、図２（ｂ）は図２（ａ）の要部拡大図、図２（ｃ）はアタッチメントがコネクタハウジング内の前部空間に嵌入されて、解除ピンの先端が図示略のランスの位置まで挿入されている状態を示す側断面図である。
【図３】図３は、本発明の第１実施形態の比較例として、アタッチメントを装着していない治具本体のみでランスの係止解除作業を行おうとした場合に想定される問題の説明図およびその要部拡大図である。
【図４】図４（ａ）〜（ｄ）は、本発明の第２実施形態の端子抜き取り治具の説明図で、図４（ａ）はアタッチメントを治具本体に装着する前の状態を示す斜視図、図４（ｂ）はアタッチメントを治具本体に装着した上で第１位置に保持した状態を示す斜視図、図４（ｃ）はアタッチメントの正面図、図４（ｄ）は図４（ｃ）のＸ−Ｘ矢視断面図である。
【図５】図５（ａ）、（ｂ）は、第２実施形態の端子抜き取り治具の作用説明図で、図５（ａ）はアタッチメントを第２位置に保持した上でアタッチメントの先端をコネクタハウジング内の前部空間に嵌入させた状態を示す側断面図およびその要部拡大図、図５（ｂ）はアタッチメントをコネクタハウジング内の前部空間に嵌入させた上で解除ピンの先端を図示略のランスの位置まで挿入した状態を示す側断面図である。
【図６】図６（ａ）、（ｂ）は、本発明の第３実施形態の端子抜き取り治具の説明図で、図６（ａ）はアタッチメントを治具本体に装着する前の状態を示す斜視図、図６（ｂ）はアタッチメントを治具本体に装着した上で第２位置に保持した状態を示す斜視図である。
【図７】図７（ａ）、（ｂ）は、第３実施形態の端子抜き取り治具の作用説明図で、図７（ａ）はアタッチメントを第２位置に保持した上でアタッチメントの先端をコネクタハウジング内の前部空間に嵌入させた状態を示す側断面図、図７（ｂ）はアタッチメントをコネクタハウジング内の前部空間に嵌入させた上で解除ピンの先端を図示略のランスの位置まで挿入した状態を示す側断面図である。
【発明を実施するための形態】
【００１３】
本発明に関する具体的な実施形態について、各図を参照しながら以下に説明する。
【００１４】
＜第１実施形態＞
まず、第１実施形態の端子抜き取り治具について、図１〜図３を参照して説明する。
図１（ａ）、（ｂ）は、本発明の第１実施形態の端子抜き取り治具の説明図で、図１（ａ）はアタッチメントを治具本体に装着する前の状態を示す斜視図、図１（ｂ）はアタッチメントを治具本体に装着した後の状態を示す斜視図である。
【００１５】
図１（ａ）、（ｂ）に示すように、第１実施形態の端子抜き取り治具１は、治具本体１０と、樹脂製のアタッチメント２０と、を備えている。
【００１６】
治具本体１０は、樹脂等で構成された角柱状の保持部１１と、保持部１１の長手方向の一端面（以下、この面を「前端面１４」という）から前方に突き出した１本の解除ピン１２と、を備えている。解除ピン１２は、金属製で基端部が保持部１１に埋設固定されている。
【００１７】
解除ピン１２の基端側の所定長さの範囲は、保持部１１よりも断面サイズの小さい四角柱状のピン本体１２ａとして構成されている。また、解除ピン１２の先端側は、ピン本体１２ａよりも更に断面サイズの小さい四角柱状あるいは帯板状の挿入部１３として構成されている。挿入部１３の断面サイズがピン本体１２ａの断面サイズよりも小さく設定されていることで、挿入部１３の後端とピン本体１２ａの前端との境界には段部１５が設けられている。また、挿入部１３の先端１３ａには、解除ピン１２の挿入方向の力を係止解除方向の力としてランス（図示略）に効率良く伝えるための傾斜面が設けられている。
【００１８】
ここで、保持部１１の前端面１４から解除ピン１２の挿入部１３の先端１３ａまでの長さをＬ１（以下、保持部１１に埋設された部分の長さを無視して、このＬ１を解除ピン１２の全長という）、ピン本体１２ａの長さをＬ２、挿入部１３の長さをＬ３とすると、
Ｌ１＝Ｌ２＋Ｌ３
の関係が成立している。
【００１９】
また、保持部１１の前端に近い位置の両側面には、アタッチメント２０の位置決め用の係止孔１８（孔でなく係止凹部であってもよい）が係止手段として設けられている。但し、第１実施形態では、この係止孔１８は利用しない。
【００２０】
一方のアタッチメント２０は、樹脂の一体成形品で構成されている。アタッチメント２０は、略楕円柱状のアタッチメント本体２１を有している。アタッチメント本体２１の外周形状は、後述するコネクタハウジング内の前部空間の断面形状に対応した形状に設定されていればよく、楕円形でも円形でも角形でもよい。
【００２１】
アタッチメント本体２１の軸線方向の両端面は、軸線方向と直交する平坦面である前端面２３Ａと後端面２３Ｂとして形成されている。アタッチメント本体２１の軸線方向と直交する断面の中心には、解除ピン１２の四角柱状のピン本体１２ａに嵌まる四角孔２２が、軸線方向に沿って平行に形成されている。この四角孔２２は、アタッチメント本体２１の前端面２３Ａから後端面２３Ｂまで貫通して設けられている。
【００２２】
また、アタッチメント本体２１の外周面の所定位置（例えば、上面と下面）には、軸線方向に沿って小リブ２４、２５が設けられている。これらの小リブ２５、２５は、後述するコネクタハウジング内の前部空間にアタッチメント２０を嵌入する際に、スムーズな嵌入を促すものとして設けられている。
【００２３】
以上の要素を持つこのアタッチメント２０は、後端面２３Ｂから前端面２３Ａまで一定の断面形状に形成されている。そして、後端面２３Ｂから前端面２３Ａまでの長さＭが、
Ｍ＜Ｌ２＜Ｌ１
の関係を満たすように設定されている。
【００２４】
なお、治具本体１０の解除ピン１２の全長Ｌ１やアタッチメント２０の長さ寸法Ｍは、作業対象となるコネクタハウジングの寸法に応じて決められている。そのため、これらコネクタハウジングとの関係で決まる寸法については、以下の作用の説明の中で述べる。
【００２５】
＜作用の説明＞
図２（ａ）〜（ｃ）は、第１実施形態の端子抜き取り治具の作用説明図で、図２（ａ）はアタッチメントの先端がコネクタハウジング内の前部空間に嵌入される直前の状態を示す側断面図、図２（ｂ）は図２（ａ）の要部拡大図、図２（ｃ）はアタッチメントがコネクタハウジング内の前部空間に嵌入されて、解除ピンの先端が図示略のランスの位置まで挿入されている状態を示す側断面図である。また、図３は、本発明の第１実施形態の比較例として、アタッチメントを装着していない治具本体のみでランスの係止解除作業を行おうとした場合に想定される問題の説明図およびその要部拡大図である。
【００２６】
＜比較例：アタッチメントを装着していない場合の問題＞
第１実施形態の端子抜き取り治具１の作用を説明する前に、まず、アタッチメント２０を装着していない比較例について図３を参照して説明する。
【００２７】
図３に概略構成を示すように、コネクタハウジング１００は、樹脂で一体に成形された部品であり、単数あるいは複数の端子収容室１０１を有している。端子収容室１０１は、前後方向に長い挿入孔として形成されており、端子収容室１０１には、コネクタハウジング１００の後方から、電線の先端に取り付けられた端子（不図示）が挿入される。図示しない端子は、コネクタハウジング１００の後方から端子収容室１０１に挿入されることで、端子収容室１０１に設けられた可撓性のランス１０２によって、後方に抜けないように係止される。
【００２８】
コネクタハウジング１００内には、端子収容室１０１の前側に位置させて前部空間１０５が設けられている。この前部空間１０５は、相手コネクタのハウジングが嵌合される空間であったり、相手コネクタの端子が挿入される空間であったりする。ここでは、相手コネクタのハウジングが嵌合される嵌合空間（嵌合穴）である場合を説明する。
【００２９】
この前部空間１０５の奥部（コネクタハウジング１００の前方から見て後端側）には、シール部１０７が設けられている。このシール部１０７は、相手コネクタのハウジングが前部空間１０５に嵌合された際に、両コネクタの電気接触部を包囲する空間をシールするための部分である。また、前部空間１０５には、必要に応じてリブが設けられている場合もある。これらシール部１０７などは、例えば、防水コネクタの防水性能を確保する上でデリケートな部位であるため、端子抜き取り治具の先端が接触した場合に損傷するおそれがある。
【００３０】
例えば、図３に示すように、アタッチメント２０を装着してない治具本体１０のみを用いて、端子収容室１０１のランス１０２の係止解除操作を行う場合について検討してみる。この場合、コネクタハウジング１００内の前部空間１０５の大きさに対して解除ピン１２の挿入部１３が細い。そのため、図示のように傾いた姿勢で解除ピン１２の挿入部１３を挿入してしまうことがあり得る。
【００３１】
そうした場合、そのまま解除ピン１２を挿入すると、拡大図のＡ円部で示すように、解除ピン１２の挿入部１３の先端１３ａがシール部１０７に接触して、シール部１０７を傷めたり変形させてしまうおそれがある。
【００３２】
また、解除ピン１２の挿入部１３を真っ直ぐに挿入し得た場合であっても、ランス１０２が奥まった位置にあると作業者にとって見にくい。そのため、作業者は、注意深くランス１０２に向けて解除ピン１２を挿入しなければならず、作業性が悪い。
【００３３】
＜第１実施形態：アタッチメントを装着した場合の作用＞
この点、治具本体１０にアタッチメント２０を装着することで、シール部１０７などを傷めるおそれを回避することができる。また、作業の容易化も図れる。以下にその作業の要領を説明する。
【００３４】
端子抜き取り作業を行う場合、それに先立って、予め、図１（ｂ）に示すように、治具本体１０にアタッチメント２０を装着する。即ち、アタッチメント２０の四角孔２２を、治具本体１０の解除ピン１２の先端から四角柱状のピン本体１２ａの基端側に嵌め込む。そして、アタッチメント２０の後端面２３Ｂを、治具本体１０の保持部１１の前端面１４に密着させる。
【００３５】
この状態で、図２（ａ）、（ｂ）に示すように、解除ピン１２の先端側の挿入部１３を、コネクタハウジング１００内の前部空間１０５にコネクタハウジング１００の前方から挿入する。ここで、予め、解除ピン１２の全長Ｌ１やアタッチメント２０の長さＭは、次のように設定してあるものとする。
【００３６】
具体的には、アタッチメント２０の前端がコネクタハウジング１００の前部空間１０５に嵌まり始めるまでは、挿入部１３の先端１３ａがシール部１０７に届かないように寸法を設定してある。即ち、図２（ｂ）に示すように、アタッチメント２０の前端面２３Ａからの解除ピン１２の突出長さＬ４（＝Ｌ１−Ｍ）が、コネクタハウジング１００の前端面１００ａからシール部１０７までの長さＨ１よりも小さくなるように設定してある。つまり、
Ｈ１＞Ｌ４
となっている。
【００３７】
そして、解除ピン１２の挿入に併せて、図２（ｂ）に示すように、アタッチメント２０を、その前端部からコネクタハウジング１００の前部空間１０５の内部へ徐々に嵌入させて行く。そうすると、アタッチメント２０の外周が、コネクタハウジング１００の前部空間１０５の内周壁に沿って嵌入されて行く。それにより、アタッチメント２０による案内作用が働き、解除ピン１２が傾くことなく真っ直ぐにランス１０２（図３参照）に向かって挿入される。これにより、ランス１０２による端子の係止が解除されることになる。
【００３８】
なお、ランス１０２の係止を解除するために解除ピン１２の挿入部１３が挿入される経路は、端子に邪魔されずにランス１０２の係止を解除できる最適な位置に設定されている。例えば、端子の収容位置の側方にその経路が確保されている。また、ランス１０２には、端子と直接係合する部位の側方に、ランス１０２と一体的に解除片（不図示）が設けられている。そして、解除ピン１２の挿入部１３が挿入されてきたとき、挿入部１３の先端１３ａがその解除片を押圧変位させることにより、ランスを非係止位置（係止解除位置）に撓ませることができるようになっている。従って、図３においてはランス１０２の位置が明示されているが、図２においては、断面の位置の違いにより、ランスが明示されていない。
【００３９】
解除ピン１２をコネクタハウジング１００に挿入するに従い、やがて治具本体１０の保持部１１の前端面１４がコネクタハウジング１００の前端面１００ａに突き当たる。これにより、解除ピン１２のコネクタハウジング１００に対する挿入深さが規制される。ここでは、コネクタハウジング１００の前端面１００ａが被当接部に相当し、治具本体１０の保持部１１の前端面１４が被当接部に当接する当接部に相当する。
【００４０】
この挿入規制位置にあるとき、アタッチメント２０の前端がシール部１０７に届かないように、コネクタハウジング１００の前端面１００ａからシール部１０７までの長さＨ１と、アタッチメント２０の長さＭの関係が設定されている。つまり、
Ｈ１＞Ｍ
となっている。
【００４１】
また、解除ピン１２を挿入規制位置まで挿入した状態で、ランス１０２（図３参照）による係止を解除できるように、コネクタハウジング１００の前端面１００ａからランス１０２までの距離Ｈ２（図３参照）に応じて、解除ピンの全長Ｌ１が設定されている。つまり、
Ｈ２＝Ｌ１
となっている。
【００４２】
以上の説明のように、本実施形態の端子抜き取り治具１によれば、次の効果を得ることができる。
即ち、治具本体１０にアタッチメント２０を装着することによって、コネクタハウジング１００への解除ピン１２の挿入時に、アタッチメント２０で解除ピン１２の挿入方向を案内することができる。つまり、解除ピン１２の無用な傾きを抑制して、シール部１０７などのデリケートな部分に解除ピン１２の先端１３ａが接触するのを防止することができる。従って、端子抜き取り作業時に、シール部１０７などのデリケートな部分を保護することができ、作業中における無用な損傷や変形を防止できる。
【００４３】
また、シール部１０７などを傷つけるおそれがないため、余計な気遣いをしながら注意深く作業を進める必要がなく、作業の容易化が図れる。つまり、前部空間１０５の奥側にあるランス１０２への挿入経路が作業者にとって見えにくくても、容易にランス１０２に解除ピン１２の先端を誘導できる。そのため、余計な気遣い作業を抑制することができる。
【００４４】
また、本実施形態の端子抜き取り治具１によれば、治具本体１０は共通に利用し、アタッチメント２０を交換するだけで、コネクタハウジング１００内の前部空間１０５の形状の違いに容易に対応することができる。従って、コネクタハウジング１００内の前部空間１０５の形状の違いに応じて、専用治具を用意する必要がなく、コスト低減に寄与することができる。
【００４５】
また、解除ピン１２は金属で作る必要があるものの、アタッチメント２０は樹脂で作ることができる。そのため、樹脂製のコネクタハウジング１００内のデリケートな部位に接触しても、相手を傷めないようにすることができる。つまり、金属で作った場合と違い、樹脂と樹脂の接触になるため、コネクタハウジング１００内のデリケートな部位を極力傷めないようにすることができる。
【００４６】
また、アタッチメント２０を樹脂で作る場合は、金属で作る場合と違って、加工形状の制約を受けにくくなり、コネクタハウジング１００内の前部空間１０５の形状の違いに細かく対応できる。そのため、アタッチメント２０をコネクタハウジング１００内に嵌入した際の案内作用による解除ピン１２の直進挿入性を高めることができ、解除ピン１２の先端による無用な接触を確実に回避できるようになる。
【００４７】
＜第２実施形態＞
次に、第２実施形態の端子抜き取り治具について、図４および図５を参照して説明する。
図４（ａ）〜（ｄ）は、本発明の第２実施形態の端子抜き取り治具の説明図で、（ａ）はアタッチメントを治具本体に装着する前の状態を示す斜視図、（ｂ）はアタッチメントを治具本体に装着した上で第１位置に保持した状態を示す斜視図、（ｃ）はアタッチメントの正面図、（ｄ）は（ｃ）のＸ−Ｘ矢視断面図である。
【００４８】
図４（ａ）、（ｂ）に示すように、第２実施形態の端子抜き取り治具２は、治具本体１０と、樹脂の一体成形品よりなるアタッチメント３０と、を備えている。
【００４９】
前述した第１実施形態の端子抜き取り治具１では、楕円柱形状のアタッチメント２０を使用した。これに対し、図４（ａ）に示すように、第２実施形態の端子抜き取り治具２では、ボックス型のアタッチメント３０を使用している。この点だけが第１実施形態と異なり、治具本体１０は共通のものを使用している。よって、アタッチメント３０の構成についてのみ説明する。但し、治具本体１０の解除ピン１２の長さなどは、使用するアタッチメント３０や、対象となるコネクタハウジングに応じて定められているので、その都度説明する。
【００５０】
このアタッチメント３０は、図４（ａ）〜（ｄ）に示すように、四角ボックス型のアタッチメント本体３１を有している。アタッチメント本体３１は、上板３１ａと下板３１ｂと左右側板３１ｃとを有する四角筒形をなしており、後端が開放し、前端が前端壁３２で塞がれている。アタッチメント本体３１の前端壁３２の前面には、アタッチメント本体３１より断面サイズの小さい筒形の嵌入部３５が突設されている。この筒形の嵌入部３５の内部通路３５ａは、アタッチメント本体３１の内部空間に連通している。
【００５１】
アタッチメント本体３１の内部空間は、後端開口３３から、治具本体１０の四角柱状の保持部１１を収容できる大きさの四角断面に形成されている。また、筒形の嵌入部３５の内部通路３５ａは、アタッチメント本体３１の内部空間に治具本体１０の保持部１１を収容した際に、解除ピン１２のピン本体１２ａを挿通できる大きさの四角断面に形成されている。また、筒形の嵌入部３５の外周は、コネクタハウジングの前部空間に嵌入できる断面形状および断面サイズに形成されている。
【００５２】
図４では、筒形の嵌入部３５の外周は、四角断面に形成されているが、コネクタハウジングの前部空間の断面形状に対応した形になっていれば、形状は問わない。
【００５３】
アタッチメント本体３１の両側壁３１ｃの適当箇所には窓３１ｍが設けられている。両側壁３１ｃ、３１ｄの窓３１ｍの無い部分の内面には、軸線方向に間隔をあけて２つの係止凸部３７、３８が設けられている。２つの係止突起３７、３８は、長手方向に沿った同一直線上に並んでいる。前側の係止凸部を第１の係止凸部３７といい、後側の係止凸部を第２の係止凸部３８という。係止凸部３７、３８は、治具本体１０の保持部１１の側面に設けられた係止孔１８に選択的に係合する部分であり、係止手段に相当する。
【００５４】
ここで使用する治具本体１０の保持部１１の係止孔１８の位置は、図４（ａ）に示すように定められている。即ち、保持部１１の前端面１４から解除ピン１２の先端１３ａまでの長さ（解除ピン１２の全長）をＬ１１、前端面１４から係止孔１８までの長さをＬ１２とすると、係止孔１８から解除ピン１２の先端１３ａまでの長さＬ１３は、
Ｌ１３＝Ｌ１１＋Ｌ１２
である。
【００５５】
また、アタッチメント３０の各部の寸法は、図４（ｄ）に示すように定められている。即ち、嵌入部３５の前端壁３２の外面（前面）からの突出寸法をＭ１１、前端壁３２の肉厚をＭ１２、前端壁３２の内面（後面）と前側の第１の係止凸部３７との間の距離をＭ１３、第１の係止凸部３７と後側の第２の係止凸部３８との間の距離をＭ１４とすると、嵌入部３５の前端から第２の係止凸部３８までの距離Ｍ１５は、
Ｍ１５＝Ｍ１１＋Ｍ１２＋Ｍ１３＋Ｍ１４
となる。また、第２の係止凸部３８から前端壁３２の内面（後面）までの距離Ｍ１６は、
Ｍ１６＝Ｍ１３＋Ｍ１４
となる。
【００５６】
そして、治具本体１０の係止孔１８から解除ピン１２の先端１３ａまでの長さＬ１３と、アタッチメント３０の嵌入部３５の前端から第２の係止凸部３８までの距離Ｍ１５との関係が、
Ｍ１５≧Ｌ１３
となるように設定されている。また、第２の係止凸部３８から前端壁３２の内面までの距離Ｍ１６は、治具本体１０の係止孔１８から解除ピン１２の先端１３ａまでの長さＬ１３に対し、
Ｍ１６＜Ｌ１３
となるように設定されている。
【００５７】
なお、本実施形態に使用する治具本体１０の解除ピン１２の全長Ｌ１１やアタッチメント３０の各種寸法は、作業対象となるコネクタハウジングの寸法に応じて決められている。そのため、これらコネクタハウジングとの関係で決まる寸法については、以下の作用の説明の中で述べる。
【００５８】
＜作用の説明＞
図５（ａ）、（ｂ）は、第２実施形態の端子抜き取り治具の作用説明図で、図５（ａ）はアタッチメントを第２位置に保持した上でアタッチメントの先端をコネクタハウジング内の前部空間に嵌入させた状態を示す側断面図およびその要部拡大図、図５（ｂ）はアタッチメントをコネクタハウジング内の前部空間に嵌入させた上で解除ピンの先端を図示略のランスの位置まで挿入した状態を示す側断面図である。
【００５９】
この第２実施形態の端子抜き取り治具２を使用する場合は、予め、治具本体１０とアタッチメント３０とを組み合わせておく。即ち、解除ピン１２の先端をアタッチメント３０の後端開口３３から挿入し、嵌入部３５の内部通路３５ａに解除ピン１２の先端１３ａを通すと共に、治具本体１０の保持部１１をアタッチメント本体３１の内部空間に挿入する。この状態で、治具本体１０とアタッチメント３０は長手方向に相対的にスライド自在に組み合わされている。
【００６０】
図５（ａ）は、アタッチメント３０を治具本体１０に対し前側にスライドさせて、第２位置に保持した状態を示している。この第２位置にアタッチメント３０をスライドさせると、前側と後側の２つの係止凸部３７、３８のうち、後側の第２の係止凸部３８が治具本体１０の係止孔１８に係合する。これにより、アタッチメント３０が第２の位置に安定保持される。
【００６１】
この第２位置にあるとき、アタッチメント３０の嵌入部３５の前端から第２の係止凸部３８までの距離Ｍ１５と、治具本体１０の係止孔１８から解除ピン１２の先端１３ａまでの長さＬ１３との関係が、
Ｍ１５≧Ｌ１３
であることから、アタッチメント３０の内部に解除ピン１２が収容される。従って、解除ピン１２の先端を保護する保護キャップの役目をアタッチメント３０がすることになり、安全が確保される。
【００６２】
また、アタッチメント３０の第２の係止凸部３８から前端壁３２の内面までの距離Ｍ１６と、治具本体１０の係止孔１８から解除ピン１２の先端１３ａまでの長さＬ１３との関係が、
Ｍ１６＜Ｌ１３
であることから、アタッチメント３０の嵌入部３５から前端壁３２の肉厚（Ｍ１２）を含む範囲（Ｍ１１＋Ｍ１２）までの間に必ず、解除ピン１２の先端１３ａが位置することになる。そのため、解除ピン１２が安定した姿勢でアタッチメント３０内に収容保持される。また、次の操作（治具本体１０の押し出し操作）の際にも、解除ピン１２の先端１３ａを、安定した状態でスムーズにアタッチメント３０の外側に押し出すことができる。
【００６３】
アタッチメント３０を第２位置に保持した状態で、図５（ａ）に示すように、アタッチメント３０の嵌入部３５を、端子抜き取り対象のコネクタハウジング１００の前部空間１０５に嵌入する。そして、アタッチメント３０の前端壁３２を、コネクタハウジング１００の前端壁１００ａに突き当てる。ここでは、コネクタハウジング１００の前端壁１００ａが被当接部に相当し、アタッチメント３０の前端壁３２の前面（外面）が当接部に相当する。
【００６４】
このように、アタッチメント３０の前端壁３２がコネクタハウジング１００の前端壁１００ａに当接することで、コネクタハウジング１００に対してアタッチメント３０が位置決め（挿入規制）される。ここで、アタッチメント３０の嵌入部３５は、根元までコネクタハウジング１００の前部空間１０５の中に嵌入される。しかし、嵌入部３５の前端壁３２からの突出寸法Ｍ１１が、コネクタハウジング１００の前端壁１００ａからシール部１０７までの寸法Ｈ１よりも小さく設定されている（Ｍ１１＜Ｈ１）ので、嵌入部３５の前端がシール部１０７に接触することはない。
【００６５】
次に、この状態から、アタッチメント３０に対して治具本体１０を前側の第１位置に向けてスライドさせる（押し出す）。そうすると、図５（ｂ）に示すように、治具本体１０の解除ピン１２のピン本体１２ａが嵌入部３５の内部通路３５ａで案内されることにより、解除ピン１２の先端１３ａが真っ直ぐにランス１０２に向かって挿入される。従って、解除ピン１２の先端１３ａが傾いて挿入されることにより、シール部１０７に接触してシール部１０７を傷めるようなことがない。
【００６６】
解除ピン１２の先端１３ａをコネクタハウジング１００の奥部に挿入するに従い、やがて治具本体１０の保持部１１の前端面１４がアタッチメント３０の前端壁３２の内面（後面）に突き当たる。これにより、解除ピン１２のコネクタハウジング１００に対する挿入深さが規制される。
【００６７】
この段階において、アタッチメント３０の前側の係止凸部３７が治具本体１０の係止孔１８に係合し、アタッチメント３０が治具本体１０に対し第１位置に保持固定される。反対に、アタッチメント３０に対し治具本体１０が第１位置に保持固定される。なお、このように解除ピン１２を挿入規制位置まで挿入した状態で、ランス１０２（図３参照）による係止を解除できるように、コネクタハウジング１００の前端からランス１０２までの距離Ｈ２（図３参照）に応じて、アタッチメント３０の前端壁から突出している解除ピン１２の突出寸法Ｌ１４が設定されている。つまり、
Ｈ２＝Ｌ１４
となっている。これにより、ランス１０２による端子の係止が解除されることになる。
【００６８】
また、作業終了後は、治具本体１０をアタッチメント３０に対して後方にスライドさせる。そうすると、図５（ａ）に示すように、解除ピン１２が先端１３ａまで含めてアタッチメント３０の内部に収容される。従って、アタッチメント３０が解除ピン１２の保護キャップの役割をすることになり、治具本体１０の安全確保が図れる。
【００６９】
この場合、アタッチメント３０の嵌入部３５をコネクタハウジング１００の前部空間１０５に嵌入させたままの状態で、治具本体１０を後方にスライドさせることにより、アタッチメント３０の内部に解除ピン１２を収容することができる。従って、アタッチメント３０の嵌入部３５で案内しながら、解除ピン１２を傾くことなく真っ直ぐに後退させることができる。そのため、治具本体１０を後方へスライドさせるのに伴って、解除ピン１２の先端１３ａがシール部１０７などに触れるのを防止することができる。
【００７０】
以上の説明のように、本実施形態の端子抜き取り治具２によれば、次の効果を得ることができる。
即ち、治具本体１０にアタッチメント３０を装着することによって、コネクタハウジング１００への解除ピン１２の挿入時に、アタッチメント３０の嵌入部３５により解除ピン１２の挿入方向を案内することができる。つまり、解除ピン１２の無用な傾きを抑制して、シール部１０７などのデリケートな部分に解除ピン１２の先端１３ａが接触するのを防止することができる。従って、端子抜き取り作業時に、シール部１０７などのデリケートな部分を保護することができ、作業中における無用な損傷や変形を防止できる。
【００７１】
また、シール部１０７などを傷つけるおそれがないため、余計な気遣いをしながら注意深く作業を進める必要がなく、作業の容易化が図れる。つまり、前部空間１０５の奥側にランス１０２への挿入経路が見えなくても、容易にランス１０２に解除ピン１２の先端１３ａを誘導できる。そのため、余計な気遣い作業を抑制することができる。
【００７２】
また、不使用時には、アタッチメント３０により、解除ピン１２の先端１３ａを保護することができるので、保護キャップが無くても安全確保が図れる。
【００７３】
また、本実施形態の端子抜き取り治具２によれば、治具本体１０は共通に利用し、アタッチメント３０を交換するだけで、コネクタハウジング１００内の前部空間１０５の形状の違いに容易に対応することができる。従って、コネクタハウジング１００内の前部空間１０５の形状の違いに応じて、専用治具を用意する必要がなく、コスト低減に寄与することができる。
【００７４】
また、解除ピン１２は金属で作る必要があるものの、アタッチメント３０は樹脂で作ることができる。そのため、樹脂製のコネクタハウジング１００内のデリケートな部位に接触しても、相手を傷めないようにすることができる。つまり、金属で作った場合と違い、樹脂と樹脂の接触になるため、コネクタハウジング１００内のデリケートな部位を極力傷めないようにすることができる。また、アタッチメント３０を樹脂で作る場合は、金属で作る場合と違って、加工形状の制約を受けにくくなり、コネクタハウジング１００内の前部空間１０５の形状の違いに細かく対応できる。そのため、アタッチメント３０をコネクタハウジング１００内に嵌入した際の案内作用による解除ピン１２の直進挿入性を高めることができ、解除ピン１２の先端による無用な接触を確実に回避できるようになる。
【００７５】
＜第３実施形態＞
次に、第３実施形態の端子抜き取り治具について、図６および図７を参照して説明する。
図６（ａ）、（ｂ）は、本発明の第３実施形態の端子抜き取り治具の説明図で、図６（ａ）はアタッチメントを治具本体に装着する前の状態を示す斜視図、図６（ｂ）はアタッチメントを治具本体に装着した上で第２位置に保持した状態を示す斜視図である。また、図７（ａ）、（ｂ）は、第３実施形態の端子抜き取り治具の作用説明図で、図７（ａ）はアタッチメントを第２位置に保持した上でアタッチメントの先端をコネクタハウジング内の前部空間に嵌入させた状態を示す側断面図、図７（ｂ）はアタッチメントをコネクタハウジング内の前部空間に嵌入させた上で解除ピンの先端を図示略のランスの位置まで挿入した状態を示す側断面図である。
【００７６】
図６（ａ）、（ｂ）に示すように、第３実施形態の端子抜き取り治具３は、治具本体１０と、樹脂の一体成形品よりなる治具本体カバー５０（以下、単に「カバー」という）と、樹脂の一体成形品よりなるアタッチメント６０と、カバー５０とアタッチメント６０との間に介装されたコイルバネ（弾性部材）７０と、を備えている。
【００７７】
前述した第２実施形態では、第１位置から第２位置に治具本体を戻すときに手動でスライドさせる場合を説明した。これに対し、本第３実施形態では、第１位置から第２位置に治具本体を戻すのをバネの力で行うようにしている。この点が第２実施形態との違いであるが、バネを配置し支持する関係で、治具本体１０に予め樹脂製のカバー５０を装着することにしている。
【００７８】
治具本体１０は共通のものを使用しているので、治具本体１０についての説明は省略する。但し、治具本体１０の解除ピン１２の長さなどは、使用するカバー５０やアタッチメント６０、対象となるコネクタハウジングに応じて定められているので、その都度説明する。
【００７９】
まず、カバー５０について説明する。
図６および図７に示すように、カバー５０は、治具本体１０の保持部１１を収容する角筒部５１を有している。角筒部５１の前端壁５２の前面には、四角筒状の嵌入筒部５５が突設されている。この嵌入筒部５５は、治具本体１０の解除ピン１２の四角柱状のピン本体１２ａの嵌まる四角孔５５ａを有している。
【００８０】
角筒部５１の後端は後端壁５３で塞がれている。但し、角筒部５１の一方の側壁から後端壁５３を経て他方の側壁にスリット５９が設けられており、このスリット５９を開くことで、後端から角筒部５１の中に治具本体１０の保持部１１をちょうど収容できるようになっている。そして、角筒部５１の中に治具本体１０の保持部１１を収容した状態で、保持部１１の前端面１４がカバー５０の前端壁５２により規制され、保持部１１の後端壁がカバー５０の後端壁５３により規制される。また、解除ピン１２は、後端側のピン本体１２ａが嵌入筒部５５の四角孔５５ａに嵌まった状態で、先端側が嵌入筒部５５から前方に突き出す。このような形で、カバー５０の中に治具本体１０がガタ付きなく収容される。
【００８１】
また、カバー５０の角筒部５１の上壁と下壁の外面には、前方を向いた段部５６が設けられている。角筒部５１の段部５６の後側は、上下方向の断面サイズの大きな後側スライド筒部５４とされ、角筒部５１の段部５６の前側は、後側スライド筒部５４より上下方向の断面サイズの小さな前側スライド筒部５８とされている。上下の段部５６には、それぞれコイルバネ７０の一端部（後端部）を安定保持し得るバネ受部５７が設けられている。
【００８２】
このような構成のカバー５０が治具本体１０に装着されることで、第２実施形態における治具本体に相当するカバー付き治具本体５が構成されている。
【００８３】
次にアタッチメント６０について説明する。
図６および図７に示すように、このアタッチメント６０は、カバー付き治具本体５のカバー５０が挿入される四角ボックス型のアタッチメント本体６１を有している。アタッチメント本体６１は、上板６１ａと下板６１ｂと左右側板６１ｃとを有する四角筒形をなしており、後端が開放し、前端が前端壁６２で塞がれている。アタッチメント本体６１の前端壁６２の前面には、アタッチメント本体６１より断面サイズの小さい筒形の嵌入部６５が突設されている。この筒形の嵌入部６５の内部通路６５ａは、アタッチメント本体６１の内部空間に連通している。
【００８４】
アタッチメント本体６１の内部空間は、後端開口６３から、カバー付き治具本体５のカバー５０の角筒部５１を収容できる大きさの四角断面に形成されている。また、前端に配置された筒形の嵌入部６５の内部通路６５ａは、アタッチメント本体６１の内部空間にカバー付き治具本体５のカバー５０の角筒部５１を収容した際に、カバー５０の前端の嵌入筒部５５を挿通できる大きさの四角断面に形成されている。また、筒形の嵌入部６５の外周は、コネクタハウジングの前部空間に嵌入できる断面形状および断面サイズに形成されている。
【００８５】
図６では、アタッチメント６０の筒形の嵌入部６５の外周は、四角断面に形成されているが、コネクタハウジングの前部空間の断面形状に対応した形になっていれば、形状は問わない。
【００８６】
アタッチメント本体６１の両側壁６１ｃの内面には、図７（ａ）に示すように、１つの係止凸部６８が設けられている。この係止凸部６８は、カバー５０のスリット５９を通して、治具本体１０の保持部１１の側面に設けられた係止孔１８に係合することができるように設けられている。この係止凸部６８は係止手段に相当する。
【００８７】
また、図７（ａ）に示すように、アタッチメント本体６１の上板６１ａと下板６１ｂの内面には、後方を向いた段部６６が設けられている。アタッチメント本体６１の段部６６の後側は、上下方向の断面サイズの大きな後側スライド穴部６４とされ、アタッチメント本体６１の段部６６の前側は、後側スライド穴部６４より上下方向の断面サイズの小さな前側スライド穴部６９とされている。アタッチメント本体６１の後側スライド穴部６４には、カバー５０の後側スライド筒部５４がスライド自在に収容される。アタッチメント本体６１の前側スライド穴部６９には、カバー５０の前側スライド筒部５８がスライド自在に収容される。上下の段部６６には、それぞれコイルバネ７０の他端部（前端部）を安定保持し得るバネ受部６７が設けられている。
【００８８】
そして、アタッチメント６０とカバー付き治具本体５を組み合わせた状態で、アタッチメント本体６１の内部のバネ受部６７とカバー５０のバネ受部５７との間に、コイルバネ７０が圧縮状態で介装される。アタッチメント６０の内部にカバー付き治具本体５を組み込んだ状態で、アタッチメント６０とカバー付き治具本体５は、長手方向に相対的にスライド自在となる。スライド範囲は、アタッチメント６０がカバー付き治具本体５の前方にスライドした第１位置と、アタッチメント６０がカバー付き治具本体５の後方にスライドした第２位置との間である。コイルバネ７０は、アタッチメント６０とカバー付き治具本体５を相対的に第２位置に付勢している。そして、第２位置にあるとき、アタッチメント６０の係止凸部６８がカバー５０のスリット５９を通して治具本体１０の係止孔１８に係合し、それにより、アタッチメント６０とカバー付き治具本体５とを第２位置に保持する。
【００８９】
ここで使用する治具本体１０の保持部１１の係止孔１８の位置は、図６（ａ）に示すように定められている。即ち、保持部１１の前端面１４から解除ピン１２の先端１３ａまでの長さ（解除ピン１２の全長）をＬ１１、前端面１４から係止孔１８までの長さをＬ１２とすると、係止孔１８から解除ピン１２の先端１３ａまでの長さＬ１３は、
Ｌ１３＝Ｌ１１＋Ｌ１２
である。
【００９０】
また、図７（ａ）に示すように、アタッチメント６０の嵌入部６５の先端から係止凸部６８までの長さをＭ２５とすると、治具本体１０の係止孔１８から解除ピン１２の先端１３ａまでの長さＬ１３との関係が、
Ｍ２５≧Ｌ１３
となるように設定されている。また、係止凸部６８から前端壁６２の内面までの距離Ｍ２６は、治具本体１０の係止孔１８から解除ピン１２の先端１３ａまでの長さＬ１３に対し、
Ｍ２６＜Ｌ１３
となるように設定されている。
【００９１】
その他に、アタッチメント６０の前端壁６２のからの嵌入部６５の突出寸法はＭ２１、前端壁６２の肉厚はＭ２２、また、カバー５０の前端壁５２の肉厚はＭ２３とされている。
【００９２】
なお、本実施形態に使用する治具本体１０の解除ピン１２の全長Ｌ１１やカバー５０やアタッチメント６０の各種寸法は、作業対象となるコネクタハウジングの寸法に応じて決められている。そのため、これらコネクタハウジングとの関係で決まる寸法については、以下の作用の説明の中で述べる。
【００９３】
＜作用の説明＞
この第３実施形態の端子抜き取り治具３を使用する場合は、予め、カバー付き治具本体５とアタッチメント６０とを組み合わせておく。即ち、解除ピン１２の先端をアタッチメント６０の後端開口６３から挿入し、嵌入部６５の内部通路６５ａに解除ピン１２の先端１３ａを通すと共に、カバー付き治具本体５の角筒部５１をアタッチメント本体６１の内部空間に挿入する。この状態で、治具本体１０とアタッチメント３０は長手方向に相対的にスライド自在に組み合わされている。
【００９４】
図７（ａ）は、アタッチメント６０をカバー付き治具本体５に対し前側にスライドさせて（つまり、カバー付き治具本体５をアタッチメント６０に対して矢印Ｙ１のように後側にスライドさせて）、第２位置に保持した状態を示している。この第２位置にアタッチメント６０をスライドさせると、係止凸部６８がカバー５０のスリット５９（図６参照）を介して治具本体１０の係止孔１８に係合する。これにより、アタッチメント６０が第２の位置に安定保持される。このとき、カバー５０の後側スライド筒部５４は、アタッチメント６０の後側スライド穴部６４の内部に、ある程度の長さだけ挿入された状態にある。
【００９５】
この第２位置にあるとき、アタッチメント６０の嵌入部６５の前端から係止凸部６８までの距離Ｍ２５と、治具本体１０の係止孔１８から解除ピン１２の先端１３ａまでの長さＬ１３との関係が、
Ｍ１５≧Ｌ１３
であることから、アタッチメント６０の内部に解除ピン１２が収容される。従って、解除ピン１２の先端を保護する保護キャップの役目をアタッチメント６０がすることになり、安全が確保される。
【００９６】
また、アタッチメント６０の係止凸部６８から前端壁６２の内面までの距離Ｍ２６と、治具本体１０の係止孔１８から解除ピン１２の先端１３ａまでの長さＬ１３との関係が、
Ｍ１６＜Ｌ１３
であることから、アタッチメント６０の嵌入部６５から前端壁６２の肉厚（Ｍ２２）を含む範囲（Ｍ２１＋Ｍ２２）までの間に必ず、解除ピン１２の先端１３ａが位置することになる。そのため、解除ピン１２が安定した姿勢でアタッチメント６０内に収容保持される。また、次の操作（カバー付き治具本体５の押し出し操作）の際にも、解除ピン１２の先端１３ａを、安定した状態でスムーズにアタッチメント６０の外側に押し出すことができる。
【００９７】
アタッチメント６０を第２位置に保持した状態で、図７（ａ）に示すように、アタッチメント６０の嵌入部６５を、端子抜き取り対象のコネクタハウジング１００の前部空間１０５に嵌入する。そして、アタッチメント６０の前端壁６２を、コネクタハウジング１００の前端壁１００ａに突き当てる。ここでは、コネクタハウジング１００の前端壁１００ａが被当接部に相当し、アタッチメント６０の前端壁６２の前面（外面）が当接部に相当する。
【００９８】
このように、アタッチメント６０の前端壁６２がコネクタハウジング１００の前端壁１００ａに当接することで、コネクタハウジング１００に対してアタッチメント６０が位置決め（挿入規制）される。ここで、アタッチメント６０の嵌入部６５は、根元までコネクタハウジング１００の前部空間１０５の中に嵌入される。しかし、嵌入部６５の前端壁６２からの突出寸法Ｍ２１が、コネクタハウジング１００の前端壁１００ａからシール部１０７までの寸法Ｈ１よりも小さく設定されている（Ｍ２１＜Ｈ１）ので、嵌入部６５の前端がシール部１０７に接触することはない。
【００９９】
次に、この状態から、アタッチメント６０に対して治具本体１０を前側の第１位置に向けてスライドさせる。つまり、図７（ｂ）の矢印Ｙ２で示すようにカバー付き治具本体５を前方に押し出す。そうすると、カバー付き治具本体５の解除ピン１２のピン本体１２ａが、嵌入部６５の内部通路６５ａで案内されることにより、解除ピン１２の先端１３ａが真っ直ぐにランス１０２に向かって挿入される。
【０１００】
同時に、カバー５０の前側スライド筒部５８が、アタッチメント６０の前側スライド穴部６９に嵌入されていく。従って、解除ピン１２の先端１３ａがコネクタハウジング１００の前部空間１０５に傾いて挿入されることにより、シール部１０７に接触してシール部１０７を傷めるようなことがない。
【０１０１】
解除ピン１２の先端１３ａをコネクタハウジング１００の奥部に挿入するに従い、やがてカバー付き治具本体５のカバー５０の前端壁５２の前面がアタッチメント６０の前端壁６２の内面（後面）に突き当たる。これにより、解除ピン１２のコネクタハウジング１００に対する挿入深さが規制される。この位置が、第１位置である。この段階に至る最終過程で、カバー５０の前端の嵌入筒部５５が、アタッチメント６０の嵌入部６５の内部通路６５ａに嵌入される。従って、その嵌入による案内作用により、より安定して解除ピン１２の先端１３ａがランスに向けて真っ直ぐに挿入される。
【０１０２】
アタッチメント６０に対してカバー付き治具本体５がこの第１位置にあるとき、アタッチメント６０の前端壁５２から前方に突出した解除ピン１２の先端１３ａまでの長さＬ２２は、治具本体１０の解除ピン１２の全長Ｌ１１から、カバー５０の前端壁５２の肉厚Ｍ２３と、アタッチメント６０の前端壁６２の肉厚Ｍ２２を引いた値である。つまり、
Ｌ２２＝Ｌ１１−（Ｍ２２＋Ｍ２３）
である。
【０１０３】
また、カバー付き治具本体５のカバー５０の前端壁５２からの解除ピン１２の突出寸法Ｌ２１を基準に考えると、
Ｌ２２＝Ｌ２１−Ｍ２２
である。ここで、Ｌ２１は
Ｌ２１＝Ｌ１１−Ｍ２３
で求められる。
【０１０４】
なお、このように解除ピン１２を挿入規制位置まで挿入した状態で、ランス１０２による係止を解除できるように、コネクタハウジング１００の前端からランス１０２までの距離Ｈ２（図３参照）に応じて、アタッチメント６０の前端壁６２から突出している解除ピン１２の突出寸法Ｌ２２が設定されている。つまり、
Ｈ２＝Ｌ２２
となっている。これにより、ランス１０２による端子の係止が解除されることになる。
【０１０５】
また、作業終了後は、カバー付き治具本体５に対する押し出し力を解除する。そうすると、図７（ａ）に示すように、コイルバネ７０の付勢力により、アタッチメント６０に対してカバー付き治具本体５が自動的に後方にスライドさせられる。そして、アタッチメント６０の係合凸部６８の位置に治具本体１０の係止孔１８が係合し、アタッチメント６０カバー付き治具本体５が図７（ａ）に示す第２位置に保持される。この第２位置にあるとき、解除ピン１２はアタッチメント６０の内部に完全に収容される。従って、アタッチメント６０が解除ピン１２の保護キャップの役割をすることになり、カバー付き治具本体５の安全確保が図れる。
【０１０６】
この場合、アタッチメント６０の嵌入部６５をコネクタハウジング１００の前部空間１０５に嵌入させたままの状態で、カバー付き治具本体５の前方への押し出し力を解除することにより、コイルバネ７０の付勢力により自動的にアタッチメント６０の内部に解除ピン１２を収容することができる。従って、アタッチメント６０の嵌入部６５で案内しながら、解除ピン１２を傾くことなく真っ直ぐに後退させることができる。そのため、カバー付き治具本体５を後方へスライドするのに伴って、解除ピン１２の先端１３ａがシール部１０７などに触れるのを防止することができる。
【０１０７】
なお、作業終了後に、カバー付き治具本体５に対する押し出し力を解除するのと同時に、アタッチメント６０をコネクタハウジング１００から抜いてもよい。その場合は、コイルバネ７０の付勢力により瞬時に解除ピン１２がアタッチメント６０の内部に収容されるので、解除ピン１２の先端１３ａがシール部１０７などに接触するおそれはない。
【０１０８】
以上の説明のように、本実施形態の端子抜き取り治具３によれば、次の効果を得ることができる。
即ち、治具本体１０にカバー５０を取り付けたカバー付き治具本体５にアタッチメント３０を装着することによって、コネクタハウジング１００への解除ピン１２の挿入時に、アタッチメント６０の嵌入部６５により解除ピン１２の挿入方向を案内することができる。つまり、解除ピン１２の無用な傾きを抑制して、シール部１０７などのデリケートな部分に解除ピン１２の先端１３ａが接触するのを防止することができる。従って、端子抜き取り作業時に、シール部１０７などのデリケートな部分を保護することができ、作業中における無用な損傷や変形を防止できる。
【０１０９】
また、シール部１０７などを傷つけるおそれがないため、余計な気遣いをしながら注意深く作業を進める必要がなく、作業の容易化が図れる。つまり、前部空間１０５の奥側にランス１０２への挿入経路が見えなくても、容易にランス１０２に解除ピン１２の先端１３ａを誘導できる。そのため、余計な気遣い作業を抑制することができる。
【０１１０】
また、不使用時には、コイルバネ７０の力で自動的にアタッチメント６０が、解除ピン１２の先端１３ａを保護するので、保護キャップが無くても安全確保が容易に図れる。
【０１１１】
また、本実施形態の端子抜き取り治具３によれば、治具本体１０やカバー５０は共通に利用し、アタッチメント６０を交換するだけで、コネクタハウジング１００内の前部空間１０５の形状の違いに容易に対応することができる。従って、コネクタハウジング１００内の前部空間１０５の形状の違いに応じて、専用治具を用意する必要がなく、コスト低減に寄与することができる。
【０１１２】
また、解除ピン１２は金属で作る必要があるものの、アタッチメント６０は樹脂で作ることができる。そのため、樹脂製のコネクタハウジング１００内のデリケートな部位に接触しても、相手を傷めないようにすることができる。つまり、金属で作った場合と違い、樹脂と樹脂の接触になるため、コネクタハウジング１００内のデリケートな部位を極力傷めないようにすることができる。また、アタッチメント６０を樹脂で作る場合は、金属で作る場合と違って、加工形状の制約を受けにくくなり、コネクタハウジング１００内の前部空間１０５の形状の違いに細かく対応できる。そのため、アタッチメント６０をコネクタハウジング１００内に嵌入した際の案内作用による解除ピン１２の直進挿入性を高めることができ、解除ピン１２の先端による無用な接触を確実に回避できるようになる。
【０１１３】
なお、本発明は、上記実施形態に限定されるものではなく、本発明の目的が達成できる他の構成等を含み、以下に示すような変形等も本発明に含まれる。
【０１１４】
例えば、上記実施形態では、アタッチメント３０、６０に係止凸部３７、３８、６８が設けられ、治具本体１０に係止孔１８が設けられている場合を示したが、アタッチメント３０、６０側に係止凹部または係止孔が設けられ、治具本体１０側に係止凸部が設けられていてもよい。
【０１１５】
ここで、上述した本発明に係る端子抜き取り治具の実施形態の特徴をそれぞれ以下［１］〜［５］に簡潔に纏めて列記する。
［１］  コネクタハウジング（１００）の内部に収容されてランス（１０２）により係止された端子を抜き取るために、前記コネクタハウジング（１００）内の前部空間（１０５）から前記ランス（１０２）に向けて挿入され、先端で前記ランス（１０２）による端子の係止を解除する解除ピン（１２）を備える治具本体（１０）と、
前記治具本体（１０）に着脱可能に装着され、前記解除ピン（１２）が前記コネクタハウジング（１００）の前部空間（１０５）に挿入された際に、少なくとも一部が前記前部空間（１０５）の内周壁に沿って嵌入されることで、前記解除ピン（１２）の先端（１３ａ）の挿入位置を案内するアタッチメント（２０、３０、６０）と、
を備える、
ことを特徴とする端子抜き取り治具（１、２、３）。
［２］  上記［１］に記載の端子抜き取り治具であって、
前記アタッチメント（３０、６０）は、前記治具本体（１０）における第１位置と該第１位置より前記治具本体の先端側に位置する第２位置との間で移動可能に装着され、前記アタッチメント（３０、６０）と前記治具本体（１０）の間に、少なくとも前記アタッチメント（３０、６０）が前記第２位置にあるときに該アタッチメント（３０、６０）を前記治具本体（１０）に係止する係止手段（係止孔１８、係止凸部３８、６８）が設けられている、
ことを特徴とする端子抜き取り治具（２、３）。
［３］  上記［２］に記載の端子抜き取り治具であって、
前記アタッチメント（３０、６０）に、該アタッチメント（３０、６０）が前記第１位置にある状態で前記治具本体（１０）の前記解除ピン（１２）を前記コネクタハウジング（１００）の前記前部空間（１０５）に挿入したときに前記コネクタハウジング（１００）の被当接部（前端壁１００ａ）に突き当たることで挿入を規制する当接部（３２、６２）が設けられ、
前記当接部（３２、６２）から前記解除ピン（１２）の先端（１３ａ）までの長さ（Ｌ１４、Ｌ２２）が、前記被当接部（前端壁１００ａ）から前記ランス（１０２）までの長さ（Ｈ２）に等しく設定されている、
ことを特徴とする端子抜き取り治具。
［４］  上記［２］または［３］に記載の端子抜き取り治具であって、
前記アタッチメントが前記第２位置にあるとき、前記アタッチメントの内部に前記解除ピンの先端が収容される、
ことを特徴とする端子抜き取り治具（２、３）。
［５］  上記［４］に記載の端子抜き取り治具であって、
前記アタッチメント（６０）は、弾性部材（コイルバネ７０）により前記第２位置に付勢されている、
ことを特徴とする端子抜き取り治具（３）。
【符号の説明】
【０１１６】
１，２，３  端子抜き取り治具
１０  治具本体
１２  解除ピン
１３ａ  先端
１８  係止孔（係止手段）
２０，３０，６０  アタッチメント
３２，６２  前端壁（当接部）
３８，６８  係止凸部（係止手段）
７０  コイルバネ（弾性部材）
１００  コネクタハウジング
１００ａ  前端壁（被当接部）
１０２  ランス
１０５  前部空間
【図１】
2019114362.tif 000003
【図２】
2019114362.tif 000004
【図３】
2019114362.tif 000005
【図４】
2019114362.tif 000006
【図５】
2019114362.tif 000007
【図６】
2019114362.tif 000008
【図７】
2019114362.tif 000009